(57)【要約】【課題】配管を整列させて配管の作業効率を向上させることのできるヘッダー取付ユニットを提供する。【解決手段】給湯配管ヘッダー２０と、給水配管ヘッダー３０と、この配管ヘッダー２０,３０を取り付けるボード１２とを備えたヘッダー取付ユニット１０であって、給湯配管ヘッダー２０の給湯口２１〜２４に接続される給湯配管Ｈ１〜Ｈ４と、給水配管ヘッダー３０の給水口３１〜３７に接続される給水配管Ｗ１〜Ｗ７とを保持する複数の配管サドル４０を傾斜板１３に並設した。【選択図】図５
2008088654.tif 000002
【特許請求の範囲】
【請求項１】
給水用または給湯用の配管ヘッダーと、この配管ヘッダーを取り付ける支持部材とを備えたヘッダー取付ユニットであって、
前記配管ヘッダーに接続される複数の配管を保持する複数の保持手段を前記支持部材に並設したことを特徴とするヘッダー取付ユニット。
【請求項２】
前記配管ヘッダーの下方に傾斜板を前記支持部材に取り付け、
この傾斜板に前記複数の保持手段を取り付けたことを特徴とする請求項１に記載のヘッダー取付ユニット。
【請求項３】
前記配管が接続される箇所の名称を記したシールを各配管別に対応させて前記傾斜板に貼着したことを特徴とする請求項２に記載のヘッダー取付ユニット。
【請求項４】
前記配管ヘッダーは、給水配管ヘッダーと給湯配管ヘッダーとを有し、
この給水配管ヘッダーと給湯配管ヘッダーとが上下に且つ前後に位置をずらせて配置されていることを特徴とする請求項１ないし請求項３のいずれか１つに記載のヘッダー取付ユニット。
【発明の詳細な説明】
【技術分野】
【０００１】
この発明は、配管ヘッダーと、この配管ヘッダーを取り付けた支持部材とを備えたヘッダー取付ユニットに関する。
【背景技術】
【０００２】
従来から、ボードに給水用配管ヘッダーと給湯用配管ヘッダーとを取り付けた配管構造が知られている。
【０００３】
かかる配管構造は、ボードの上部に給湯用配管ヘッダーを取り付け、この給湯用配管ヘッダーの下方に給水用配管ヘッダーを取り付け、給湯用配管ヘッダーの各吐湯口に給湯配管を接続し、給水用配管ヘッダーの各吐水口に給水配管を接続するものである。
【特許文献１】特開２００６−２２５８８８号公報
【発明の開示】
【発明が解決しようとする課題】
【０００４】
しかしながら、この配管構造にあっては、各配管ヘッダーに取り付けられた給水配管や給湯配管が雑然となっており、どの配管がどこに接続してよいのかが分かりにくく、このため配管の作業効率が低下する等の問題があった。
【０００５】
この発明の目的は、配管を整列させて配管の作業効率を向上させることのできるヘッダー取付ユニットを提供することにある。
【課題を解決するための手段】
【０００６】
請求項１の発明は、給水用または給湯用の配管ヘッダーと、この配管ヘッダーを取り付ける支持部材とを備えたヘッダー取付ユニットであって、
前記配管ヘッダーに接続される複数の配管を保持する複数の保持手段を前記支持部材に並設したことを特徴とする。
【０００７】
請求項２の発明は、前記配管ヘッダーの下方に傾斜板を前記支持部材に取り付け、
この傾斜板に前記複数の保持手段を取り付けたことを特徴とする。
【０００８】
請求項３の発明は、前記配管が接続される箇所の名称を記したシールを各配管別に対応させて前記傾斜板に貼着したことを特徴とする。
【０００９】
請求項４の発明は、前記配管ヘッダーは、給水配管ヘッダーと給湯配管ヘッダーとを有し、
この給水配管ヘッダーと給湯配管ヘッダーとが上下に且つ前後に位置をずらせて配置されていることを特徴とする。
【発明の効果】
【００１０】
この発明によれば、配管を整列させて配管の作業効率を向上させることができる。
【発明を実施するための最良の形態】
【００１１】
以下、この発明に係るヘッダー取付ユニットの実施の形態である一実施例を図面に基づいて説明する。
【実施例】
【００１２】
図１に示すようにヘッダー取付ユニット１０は台所１の床下に配置され、このヘッダー取付ユニット１０から給水配管や給湯配管がトイレ２,手洗場３,洗濯機４,洗面所５,浴室６および台所１のシンク７等にそれぞれ配設されている。８は冷蔵庫である。
【００１３】
ヘッダー取付ユニット１０は、図２および図３に示すように、基板１１の一端に立設されたボード（支持部材）１２と、ボード１２の下部から基板１１の他端に掛け渡された傾斜板１３と、ボード１２の上部に一対のブラケット１５により取り付けられた給湯配管ヘッダー（配管ヘッダー）２０と、この給湯配管ヘッダー２０と傾斜板１３との間の位置に一対のブラケット１６によりボード１２に取り付けられた給水配管ヘッダー（配管ヘッダー）３０等とを備えている。そして、基板１１とボード１２とで自立可能な支持部材が構成される。
【００１４】
給湯配管ヘッダー２０と給水配管ヘッダー３０は上下にかつ前後に位置がずらされてボード１２に取り付けられている。すなわち、給水配管ヘッダー３０は給湯配管ヘッダー２０より前方（図３において左方向）に位置し、給水配管ヘッダー３０とボード１２との間に所定の隙間が形成されている。
【００１５】
給湯配管ヘッダー２０は、４つの給湯口２１〜２４と１つの入湯口２５とを有している。そして、給湯配管ヘッダー２０には給湯口２１〜２４から給湯される箇所の名称が記されたラベルＲ１〜Ｒ４が貼られている。
【００１６】
給水配管ヘッダー３０は、８つの給水口３１〜３８と１つの入水口３９とを有している。そして、給水配管ヘッダー３０には給水口３１〜３８から給水される箇所の名称が記されたラベルＲ１０〜Ｒ１７が貼られている。
【００１７】
傾斜板１３には、配管を保持する配管サドル（保持手段）４０が複数並設されている。
【００１８】
配管サドル４０は、図４に示すように、傾斜板１３にネジ止めする基板４１と、この基板４１に一体形成されるとともに配管を保持する湾曲した一対の保持部４２と、基板４１の両側に形成された連結用の連結部４３,４４とを有している。連結部４３,４４は互いに逆向きの鉤状に形成されている。そして、配管サドル４０の連結部４３と他の配管サドル４０の連結部４４とを図４に示すように係合させて配管サドル４０を左右方向に連結していくようになっている。
【００１９】
また、傾斜板１３には、図２および図３に示すように各配管サドル４０の上方となる位置に各配管サドル４０に対応してラベル（シール）４１が貼着されている。各ラベル４１には配管が接続される箇所の名称が記されている。
【００２０】
これら名称を記したラベル４１は、住宅の間取りから給水配管や給湯配管が床下等で交差しないように、これら配管の配管サドル４０への装着位置を予め決めておき、この決めた装着位置に対応させて貼っておくものである。なお、ラベル４１の上に「・」が付いているラベル４１は赤字で名称が記され、給湯配管を装着することを示す。
【００２１】
そして、図５に示すように、給湯配管ヘッダー２０の給湯口２１〜２４に給湯配管Ｈ１〜Ｈ４を接続し、この給湯配管Ｈ１〜Ｈ４を給水配管ヘッダー３０とボード１２との間に通して、各給湯配管Ｈ１〜Ｈ４を対応した各配管サドル４０の保持部４２に差し込んで保持させる。例えば、給湯口２１に接続された給湯配管Ｈ１は台所のラベルが貼られた配管サドル４０′の保持部４２′に差し込んで保持させる。給湯配管ヘッダー２０の入湯口２５には図示しない給湯器に接続された給湯管（図示せず）を接続する。
【００２２】
同様に、給水配管ヘッダー３０の給水口３１〜３７に給水配管Ｗ１〜Ｗ７を接続し、各給水配管Ｗ１〜Ｗ７を対応した各配管サドル４０の保持部４２に差し込んで保持させる。給水配管ヘッダー３０の入水口３９には水道管を接続する。給水口３８は図示しない給水配管で給湯器（図示せず）に接続する。
【００２３】
そして、図１に示すように、給湯配管Ｈ１と給水配管Ｗ１とを台所１の水栓口Ｓ１に接続し、給水配管Ｗ２を手洗場３の水栓口Ｓ２に接続し、給水配管Ｗ３をトイレ２の水洗タンクＴ２に接続し、給湯配管Ｈ２と給水配管Ｗ４を洗面所５の水栓口Ｓ３に接続し、給湯配管Ｈ３と給水配管Ｗ５を洗濯機４に接続し、給水配管Ｗ６を浴室６のミスト発生装置（図示せず）に接続し、給湯配管Ｈ４と給水配管Ｗ７を浴室６の水栓口Ｓ４に接続する。
【００２４】
このように接続すると、給湯配管Ｈ１〜Ｈ４と給水配管Ｗ１〜Ｗ７を交差させることなく床下に配設することができる。
【００２５】
しかも、給湯配管Ｈ１〜Ｈ４および給水配管Ｗ１〜Ｗ７がヘッダー取付ユニット１０の各配管サドル４０に保持されるので、給湯配管Ｈ１〜Ｈ４および給水配管Ｗ１〜Ｗ７がヘッダー取付ユニット１０上で整列されることになり、このため給湯配管Ｈ１〜Ｈ４および給水配管Ｗ１〜Ｗ７の配設の作業効率を向上させることができる。さらに、各配管サドル４０に対応して接続箇所を示したラベル４１がヘッダー取付ユニット１０の傾斜板１３に貼着されていることにより、給湯配管Ｈ１〜Ｈ４および給水配管Ｗ１〜Ｗ７を所定位置へ確実に配設して接続することができ、このためその配設作業の効率をさらに向上させることができる。
【００２６】
また、傾斜板１３に配管サドル４０を設けてこの傾斜板１３上に給湯配管Ｈ１〜Ｈ４および給水配管Ｗ１〜Ｗ７を配設するようにしたものであるから、給湯配管Ｈ１〜Ｈ４および給水配管Ｗ１〜Ｗ７を直角に折り曲げて管を潰してしまうことがない。
【００２７】
上記実施例では、ボード１２に給湯配管ヘッダー２０および給水配管ヘッダー３０を取り付けているが、ボード１２の代わりにフレームであってもよい。
【００２８】
また、上記実施例では、給湯配管ヘッダー２０および給水配管ヘッダー３０とをボード１２に取り付けた場合について説明したが、これに限らずどちらか一方の配管ヘッダーを取り付ける場合であってもよい。
【図面の簡単な説明】
【００２９】
【図１】この発明に係るヘッダー取付ユニットを使用した場合の配管の配設状態を示した間取り図である。
【図２】この発明に係るヘッダー取付ユニットを示した正面図である。
【図３】図２に示すヘッダー取付ユニットを示した斜視図である。
【図４】図２のヘッダー取付ユニットの配管サドルの構成を示した斜視図である。
【図５】ヘッダー取付ユニットに配管を取り付けた状態を示した斜視図である。
【符号の説明】
【００３０】
１０          ヘッダー取付ユニット
１２          ボード（支持部材）
１３          傾斜板
２０          給湯配管ヘッダー（配管ヘッダー）
２１〜２４    給湯口
３０          給水配管ヘッダー（配管ヘッダー）
３１〜３７    給水口
４０          配管サドル（保持手段）
【図１】
2008088654.tif 000003
【図２】
2008088654.tif 000004
【図３】
2008088654.tif 000005
【図４】
2008088654.tif 000006
【図５】
2008088654.tif 000007